(57)【要約】【課題】  微風時から強風時にいたるまで感度よく風量を調整することができ、さらに簡易な構造で通路を閉鎖することができる建物の風量調整換気装置を提供する。【解決手段】  室内外に連通する建物の壁１００に設けられた室外側開口４０１、一端側に室外側開口、他端側に室内側開口４０２を備えるとともに室内外に連通する空気流路４００を形成する枠材１１、１２、枠材上部に取り付けられる横材１３、横材に回動自在に懸垂しているアーム１５、及びアームの回動の支点とは反対側の端部に取り付けられ、枠材により形成される空気流路の所定部位５００を塞ぐことができる風受け板１７を備える。【選択図】    図２
2006194567.tif 000002
【特許請求の範囲】
【請求項１】
建物の壁に設けられた室外側開口；
一端側に前記室外側開口、他端側に室内側開口を備えるとともに、室内外に連通する空気流路を形成する枠材；
前記枠材上部に取り付けられる横材；
前記横材に、回動自在に懸垂しているアーム；
前記アームの回動の支点とは反対側の端部に取り付けられ、前記空気流路の所定部位を塞ぐ風受け板；
を備える、建物の風量調整換気装置。
【請求項２】
前記アームは、前記空気流路室外側開口からの風圧により前記風受け板が風下へ移動する力と、
該力に抗し、前記風受け板を前記室外側開口側へ押し戻す力のつりあいの程度を、変化させるためのつりあい調整機構を備える、
請求項１に記載の風量調整換気装置。
【請求項３】
前記風受け板は、前記アームに回動自由に取り付けられるとともに、該回動の角度を所定範囲内に規制する、回動角度規制手段を備える、
請求項１又は請求項２に記載の建物の風量調整換気装置。
【請求項４】
前記空気流路の前記所定部位と前記風受け板とが接する部分全周に渡り、気密材を備える、
請求項１〜３のいずれか一項に記載の建物の風量調整換気装置。
【発明の詳細な説明】
【技術分野】
【０００１】
本発明は、ビル、マンション、戸建などの建物に利用する、風量調整が可能な換気装置に関する。
【背景技術】
【０００２】
高層ビル、マンション、一般住宅及び各種施設などの建物において、省エネルギーや健康面、快適性などの観点から、自然換気が望まれる場面も多い。このようなとき、窓を開けることにより換気を行うのが通常であるが、安全面や気象条件などにより窓の開閉ができない状況にあることもある。このような状況では、建物外壁や窓枠に換気口を設けた換気装置が利用されている。これは、室外と室内を連通させるために、建物外壁や窓枠を貫通した風洞を作り、窓を開けることなしに換気ができるというものである。
【０００３】
しかし、この換気装置では、強風時などに強い風が直接室内に流入し、室内の紙が舞うことや粉塵等が進入することにより、室内環境を悪くする。また、冬場には多換気となり暖房効率が低下する等の問題があった。これに対し、換気装置を改良し、外が強風の場合でも室内には一定以上の風が入らず、室内の環境を維持するための機構を備えた定風量自然換気装置が、特許文献１及び特許文献２で開示されている。
【０００４】
【特許文献１】特開２０００−１７９９０６号公報
【特許文献２】特開２００２−２７７０３７号公報
【発明の開示】
【発明が解決しようとする課題】
【０００５】
特許文献１及び特許文献２の換気装置は、どちらも定風量の換気装置を示したものであり、自由に回動する軸に取り付けられた羽根に風などからの力を受けさせ、その力に応じて軸が回転し、該軸とともに回転した羽根が風洞の空気流路の開度を調整することにより、風量を調整することができるというものである。
【０００６】
しかし、このように、羽根を横軸回転させて流量を調整する構造では、羽根の傾き、風の向きなどにより、場合によっては、羽根の面積を有効に活用できず、特に、微風時において羽根が敏感に作動しにくい構造的な課題がある。そのため、ある程度風が吹かないと羽根が回転せず、流路が開いたままの状態となり、多換気となってしまう問題があった。
【０００７】
また、特許文献２でも指摘しているように、羽根を利用した定風量換気装置では、羽根の回動を確保するため、風の通路の壁と羽根の軸方向の側端面との間に、通常、若干の隙間が設けられている。その結果、この隙間より空気が進入し、完全な通路閉鎖が困難となる。これは、本来、閉鎖させるべき時にこの隙間から風が流入する虞があることや、定風量の換気ができないことを意味し、不具合を生じることになる。
【０００８】
かかる不具合を解決するために、特許文献１では定風量換気装置の近傍に通路を塞ぐための開口蓋が追加で設けられており、特許文献２では、風の通路の壁と羽根の軸方向の側端面との間に、シール部材を追加している。しかし、これらの方法によると、完全な通路閉鎖のためには、どうしても多くの部品を追加しなくてはならず、構造が複雑化し、製品コストが上がってしまうという問題もあった。
【０００９】
そこで、本発明は微風時から強風時にいたるまで感度よく風量を調整することができ、さらに簡易な構造で通路を閉鎖することができる建物の風量調整換気装置を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、室内外に連通する建物の壁（１００）に設けられた室外側開口（４０１）、一端側に室外側開口、他端側に室内側開口（４０２）を備えるとともに室内外に連通する空気流路（４００）を形成する枠材（１１、１２）、枠材上部に取り付けられる横材（１３）、横材に回動自在に懸垂しているアーム（１５）、及びアームの回動の支点とは反対側の端部に取り付けられ、枠材により形成される空気流路の所定部位（５００）を塞ぐことができる風受け板（１７）、を備える建物の風量調整換気装置（１０）である。本発明における「室内側」とは、本発明にかかる「建物の風量調整換気装置」が設けられる室内の側をいい、「室外側」とは、本発明にかかる「建物の風量調整換気装置」が設けられる室内の側から壁等により隔てられた外部側をいう。従って、室外側は、屋外であっても良いし、屋内の廊下、他の部屋、吹き抜け部等であってもよい。
【００１２】
請求項２に記載の発明は、請求項１に記載の建物の風量調整換気装置（１０）において、アーム（１５）は、空気流路室外側開口（４０１）からの風圧により風受け板（１７）が風下へ移動する力と、該力に抗し、風受け板（１７)を室外側開口側へ押し戻す力のつりあいの程度を、変化させるためのつりあい調整機構（１５ｆ）を備えているものである。
【００１３】
請求項３に記載の発明は、請求項１又は請求項２に記載の建物の風量調整換気装置（１０）において、風受け板（１７）は、アーム（１５）に回動自由に取り付けられるとともに、該回動の角度を所定範囲内に規制する、回動角度規制手段（１５ｅ）を備えているものである。
【００１４】
請求項４に記載の発明は、請求項１〜３のいずれか一項に記載の建物の風量調整換気装置（１０）において、空気流路（４００）の所定部位（５００）と風受け板（１７）とが接する部分全周に渡り、気密材（５０）を備えているものである。
【発明の効果】
【００１５】
請求項１の発明によれば、本発明の建物の風量調整換気装置は、枠材により形成されて室内外に連通する空気流路を有しており、開口を有する建物の壁の開口部に取り付けられる。
【００１６】
建物の風量調整換気装置は、枠材上部に取り付けられた横材に回動自由に懸垂されたアームと、該アームの回動の支点とは反対側の一端に取り付けられた風受け板を有している。該風受け板は、空気流路の所定部位を閉鎖可能である。
【００１７】
アーム及び風受け板は、無風時において自重により空気流路の所定部位よりも風上側に位置するように、設置可能であり、そのとき空気通路は大きく開かれており、空気が流れやすい状態にある。風が生じ、空気流路に風が流入すると、風受け板が風から力を受けることにより、アーム及び風受け板を風下側へ移動させようとする力が、風受け板に働く。一方で、アーム及び風受け板には、アーム及び風受け板の自重により、アーム及び風受け板を風上側へ押し戻そうとする力が働く。従って、アーム及び風受け板は、風による力と自重による力との差だけ、風下側へ移動する。
【００１８】
風受け板が風を受けて、アーム及び風受け板を風下側へ移動させる力が生じた場合、アーム及び風受け板は、風下側へ移動するが、ある地点まで移動すると、風による押圧力と自重による押し戻そうとする力が同じ大きさとなり、釣合った状態で、アーム及び風受け板が停止する。このとき、風受け板と、空気流路を閉鎖するための所定部位との間隔が、無風時よりも狭くなるので、空気流路の断面積は、小さくなり、空気流路の圧力損失が大きくなる。従って、空気の流入が、無風時に比べ、制限されることになる。さらに風が強くなると、風受け板は、空気流路を閉鎖するための所定部位に達し、風を遮断する。
【００１９】
従来技術は、風が弱い場合、適切に風量調整装置が動作しにくく、風量調整が適切にできないという欠点があったが、本発明の風量調整換気装置によれば、風受け板は、風に対して水平にならず、さらに、風を受ける面積を大きくとることが可能なので、弱い風に対しても感度よく、風量を調整できる。
【００２０】
以上の作用により、本発明による建物の風量調整換気装置は、微風時から強風時まで感度よく風量を調整することができ、室内環境を快適に維持することができる。
【００２１】
請求項２の発明によれば、請求項１の発明において、つりあい調整機構によって、アーム及び風受け板が風上側へ移動しようとする力の大きさを変えることにより、アーム及び風受け板が、風下側へ移動する程度を変えることができるので、利用者の好みや室外の環境に応じて、換気の程度を調整することが可能である。
【００２２】
請求項３の発明によれば、請求項１又は請求項２の発明において、アームに風受け板を回動自由に取り付けることにより、風受け板が、アームの動きによらず、一定の姿勢を保つことができるので、風受け板が、風からの力を効率よく受けることができる。また、アームに風受け板を回動自由に取り付けることにより、空気流路閉鎖の際に、風受け板が、確実に空気流路を閉鎖する。一方、アームに風受け板を、回動範囲内を規制して取り付けることにより、風の向きに対して水平になることを避けることができる。
【００２３】
請求項４の発明によれば、空気流路が閉鎖されるときに、空気流路を閉鎖するための所定部位と空気流路を閉鎖する風受け板が、接する部分の全周に渡って、気密材を備えていることにより、空気流路が閉鎖の確実性が向上し、空気の漏れを防ぐことができるため、より快適な室内環境を維持することができる。
【００２４】
本発明のこのような作用及び利得は、次に説明する発明を実施するための最良の形態から明らかにされる。
【発明を実施するための最良の形態】
【００２５】
以下、本発明を図面に示す実施形態に基づき説明する。
【００２６】
図１（ａ）は、本発明の一実施形態にかかる建物の風量調整換気装置が設置される外壁部１００を室外側から示した正面図である。外壁１００には方立１０２、１０２、…が、略鉛直に配置され、該方立１０２、１０２、…の間にガラスパネル１０１、１０１、…が設置されている。該ガラスパネル１０１の上下には、ガラリ１０３、１０３が設置してある。本発明の建物の風量調整換気装置１０は、ガラリ１０３のＡ部（破線で囲まれている部分）の室内側に設置されている。
【００２７】
図１（ｂ）は、図１（ａ）におけるＢ−Ｂ線に沿った断面を示す図である。室内側は、上下をスラブ１０４、側面をガラスパネル１０１及び他の３方向にある壁等（不図示）で囲むことにより、室内３００が、形成されている。ガラスパネル１０１が、室外２００と室内３００を仕切っており、ガラスパネル１０１の上下に開口１０５、１０５が、形成されている。開口１０５は、スラブ１０４によって上部開口１０５ａと、下部開口１０５ｂとに仕切られている。本実施形態では、下部開口１０５ｂは閉鎖されている。風量調整換気装置１０は、上部開口１０５ａの室内３００側に１つ設置されている。本実施形態では、室内３００に１つの風量調整換気装置１０が設置されているが、１つに限る必要はなく、例えば閉鎖されている下部開口１０５ｂを閉鎖せず、この位置に風量調整換気装置１０をもう１つ設置してもよい。また、室外２００と室内３００が屋外と屋内の関係にある必要はなく、室外が、隣り合う他の部屋であったり、廊下であったりしてもよい。さらに、室内と室外とを仕切るものは、ガラスパネルである必要はなく、単なる壁でもよい。
【００２８】
図２は、本発明の風量調整換気装置１０の断面を示し、図１（ｂ）のＣ部を拡大して示す図である。上枠１１が、ガラスパネル１０１の下端に、水平（図面では紙面手前／奥方向）に、取り付けられている。また、上枠１１の左右は、左右に備えられている方立１０２（図１（ａ）参照）に取り付けられている。下枠１２が、室外２００と室内３００とを連通する空気流路４００を形成するように、上枠１１と所定の間隔で、取り付けられている。下枠１２も左右は、上枠１１と同様、左右に備えられた方立１０２（図１（ａ）参照）に取り付けられるとともに、スラブ１０４（図１（ｂ）参照）にも固定されている。従って、風量調整換気装置１０は、上面を上枠１１、下面を下枠１２、左右を方立１０２で囲まれ、室外２００に面する空気流路入口４０１および室内３００に面する空気流路出口４０２を有する、空気流路４００を備えている。
【００２９】
上枠１１の空気流路４００側に、横材１３が、上枠１１に沿って水平に固定されている。また、横材１３は、空気流路４００の中に、略鉛直下方に延設される垂直部１３ａを有している。延設された垂直部１３ａの端部は、コの字型部１３ｂを有しており、コの字型部１３ｂには気密材５０が挿入されている。また、下枠１２には、横材１３のコの字型部１３ｂの略鉛直下方に、コの字型部１４ａを備える下内枠１４が、取り付けられ、コの字型部１４ａに気密材５０が挿入されている。横材１３の垂直部１３ａのコの字型部１３ｂと下内枠１４のコの字型部１４ａは、略鉛直方向上下に配置されている。これにより空気流路４００内に、１つの流路内開口５００が設定される。該流路内開口５００と他の部材との関係は後で詳しく説明する。
【００３０】
図３は、風量調整換気装置１０の、上枠１１、横材１３及びアーム１５等主要部を示す斜視図である。横材１３の上面には、アーム１５が回動自由に取り付けられている。アーム１５は、図３のＤ部に示すように、アーム１５の端部にアームの幅方向に貫通した穴（不図示）に、横材１３に取り付けられた２つのアームブラケット１６、１６間を渡された軸（不図示）を、通すことにより、回動自由に取り付けられている。ここで回動自由に取り付けるための方法は、特に本実施形態の方法に限定する必要はなく、回動自由に動くための他の機構（例えばベアリングを介する構造）により実施されてもよい。また、図３に示したようにアーム１５は、横材１３と同じ幅を有する必要はなく、短い幅のアーム１５が横材１３の水平方向に、１又は２以上配置されていればよい。本実施形態では、各部材の安定等を考慮して２つのアーム１５を配置している。アーム１５が１つの場合は、１箇所での取り付けとなるため、不安定となる可能性があり、また、多くのアーム１５をつけることは、回動部分の摩擦を増やすことになるので、アームの数は２〜４、またアームの幅はアーム数に応じて適度な強度を確保できるものを選定することが好ましい。
【００３１】
図２に戻り、アーム１５の説明を継続する。横材１３に一端を回動自由に取り付けられたアーム１５は、次に示す３つのアーム部材１５ａ、１５ｂ、１５ｃをこの順に備えている。これら３つのアーム部材１５ａ、１５ｂ、１５ｃは一体に構成されている。横材１３に取り付けられた軸にアーム部材１５ａが回動自在に取り付けられている。アーム部材１５ａは、空気流路４００の風下の方向に、横材の垂直部１３ａの風下側面を超える位置まで下方に延設されている。アーム部材１５ｂは、アーム部材１５ａからさらに略鉛直下方に、流路内開口５００の略中央まで、延設されている。さらにアーム部材１５ｃが、アーム部材１５ｂから略水平に風上方向へ、流路内開口５００より十分に風上側に突き出す位置まで延設されている。また、アーム部材１５ｂは、横材の垂直部１３ａと接する部分にコの字部１５ｄを有している。コの字部１５ｄには緩衝材５１が挿入されている。これら各部材の関係は、後で詳しく説明する。
【００３２】
アーム部材１５ｃの先端（風上側）には、風受け板１７が、回動自由に取り付けられている。風受け板１７は、平板部１７ａと筒状部１７ｂを備えている。筒状部１７ｂは、平板部１７ａの高さ方向略中央の風下側に配置されている。平板部１７ａは流路内開口５００の流路断面積よりも大きな面積を有しており、形状は、流路内開口５００の断面形状と略相似である。従って、風受け板平板部１７ａが、流路内開口５００の外枠（横材の垂直部１３ａ及び下内枠１４で構成される。）に接した場合、完全に流路内開口５００を閉鎖することができる。図３のＦ部に示したように、アーム部材１５ｃの風上側端部は、二つの筒状部１７ｂ、１７ｂの間に差込まれている。筒状部１７ｂの管内を通じる軸が、アーム部材１５ｃの風上側端部に設けられた、貫通穴にも通されている。かかる構成によって、風受け板１７が回動自由にアーム部材１５ｃの先端に取り付けられている。また、図２において、アーム部材１５ｃ端部には、回動規制部１５ｅが、取り付けられている。該回動規制部１５ｅは、アーム部材１５ｃの端部に、該端部に対して略垂直に上下両方につけられている。さらに回動規制部１５ｅの先端には、コの字型部１５ｇが取り付けられており、緩衝材５１が挿入されている。上側のコの字型部１５ｇと下側のコの字型部１５ｇは、緩衝材５１が同一鉛直線上に並ばないように、上側コの字型部１５ｇを空気流路４００の風下側にずらして、設置してある。このことにより、風受け板１７は、回動自由ではあるが、回動の範囲が規制される。図２において、上側のコの字型部１５ｇは風受け板１７の時計回り方向の、下側のコの字型部１５ｇは風受け板１７の反時計回り方向の回動を規制している。
【００３３】
図４は、空気流路４００内を風が流れ、室内３００の換気が行われている状態の一例を示したもので、無風であった状態Ｉ（実線で示している。）、及び風受け板１７が風を受け、風量調整が行われている状態ＩＩ（破線で示している。）を示している。風受け板１７が矢印Ｇのような風を受けると、状態Ｉにあった風受け板１７及びアーム１５は、風下側へ移動しようとする力を受け、風下側へ移動する。アーム１５は、横材１３と支点Ｅとで回動自由に取り付けられているので、支点Ｅを中心に回動しようとする。一方、風受け板１７及びアーム１５は、支点Ｅから懸垂されおり、さらにアーム１５及び風受け板１７の重心位置は、支点Ｅよりも風下側にあるので、風受け板１７は風上側へと戻ろうとする。従って、アーム１５及び風受け板１７を風下側へ移動させようとする風の力と、アーム１５及び風受け板１７を風上側へ戻そうとする力が、釣合ったときに、アーム１５及び風受け板１７は、停止し、状態ＩＩのようになる。このとき、状態Ｉと状態ＩＩについて、風受け板１７と流路内開口５００の距離を比較してみると、状態ＩＩは、風受け板１７と流路内開口５００との距離が短いため、状態Ｉに比べ、空気流路４００の圧力損失が大きくなり、空気流路４００内を流れる空気の量が少なくなる。さらに風が強くなると、同じ原理で風受け板１７はさらに風下側へ移動し、さらに風量を制限することができる。逆に風が弱くなった場合、風受け板１７は風上側に移動し、空気流路４００内の圧力損失が小さくなり、風が流れやすくなる。風量調整換気装置１０は、以上のような方法で、室外２００から室内３００へ流入する空気の量を適度に調整することができ、室外２００からの強い風を緩和して室内３００へ導入することができる一方で、室外２００の風が弱いときには、多くの風を導入することができる。また、風が非常に弱いときであっても、風受け板１７は風に対し、広い面を有しているので、感度よくアーム１５及び風受け板１７が移動し、その結果、風の強さに感度よく空気流量を変化させることができる。従って、風量調整換気装置１０は非常に弱い風から強い風まで、広い範囲で感度よく風量を調整することができる。
【００３４】
図５は、さらに風が強くなり、風受け板１７が流路内開口５００を閉鎖した状態を示している。このように閉鎖することにより、強過ぎる風は遮断され、室内３００の環境は快適に維持される。流路内開口５００の閉鎖の程度を良くするため、風受け板１７は、直接に横材のコの字部１３ｂ及び下内枠のコの字部１４ａに接するのではなく、気密材５０に接するようにした。また、図６は、図５におけるＨ−Ｈ線に沿った断面を上から見た図である。本実施形態においては、風量調整換気装置１０は左右対称であるので、左半分のみを示している。図６に示したように、気密材５０は、方立１０２に取り付けられる縦材４０の、風受け板１７の左右端部に対応する部分にも配置しており、風受け板１７の上部及び下部だけではなく、左部、右部も含め、風受け板１７の全周に渡り気密できるように配置されている。従って、流路内開口５００が閉鎖されたときに、空気の流路は完全に遮断され、気密性高く空気流路４００を閉鎖できる。
【００３５】
図７は、本発明装置において、風により風受け板１７が風下へ移動するための力と、該力に抵抗し、アーム１５及び風受け板１７を風上側へ押し戻す力のつりあいの程度を、変化させるための、機構を説明するものである。図７に示すように、アーム１５にアーム重量調整部１５ｆが備えられている。該アーム重量調整部１５ｆには、棒状の錘固定部材１８が取り付けられており、該錘固定部材１８を、錘１９に開けられた穴（不図示）に差し込むことによって、任意の重さの錘１９を載せることができるようになっている（図７では３つの錘１９、１９、１９が乗っている。）。前述したように、アーム１５及び風受け板１７の移動量は、空気流路４００を流れる空気の流量を調整し、アーム１５及び風受け板１７の移動量は、風による力と、アーム１５及び風受け板１７を自重により押し戻そうとする力との力のつりあいによって決まる。従って、アーム１５の重量を変えることにより、風による力とアーム１５及び風受け板１７の自重による力との力のつりあいの程度を変えることがき、同一の風の強さ対する空気流量の程度を適切に調整することができる。すなわち、錘１９の重量を軽くすれば、風量調整換気装置１０の風に対する感度を高くすることができ、これとは逆に錘１９の重量を大とすれば、風量調整換気装置１０の風に対する感度を低くすることができる。このようにして、風量調整換気装置を利用する需要者の好みや、室外の環境等により換気の程度を調整することができ、風量調整換気装置の汎用性を高めている。
【００３６】
本実施形態においては、力のつりあいの程度を変える手段として、アーム１５へ錘１９を負荷することを示したが、力のつりあいの程度を変える目的を達する方法であれば、その手段を問わない。例えば、錘１９を負荷するかわりに、ばねなどの弾性体をアーム１５と上枠１１などの間に設置し、その弾性力を利用して、アーム１５及び風受け板１７を風上側へ押し戻す力を発生させてもよい。
【００３７】
図８は、風受け板１７が、アーム部材１５ｃに回動自由に取り付けられていない一例を示す。比較のため、風受け板１７がアーム１５ｃに回動自由に取り付けられている場合を破線で示した。風受け板１７が、アーム部材１５ｃに略垂直に固定されていると、アーム１５が横材との支点Ｅを中心に回動したとき、風受け板１７もアーム１５の回動に追随して、支点Ｅを中心に回動する。従って、風受け板１７が風を受け、アーム１５及び風受け板１７が風下側へ移動する際、風受け板１７は、風向きに対する角度を常に変化させていることになる。このことは、風受け板１７の風を受ける有効な面積を小さくする恐れがある。また、さらに風が強くなり、風受け板１７が流路内開口５００を閉鎖するときに、風受け板１７がアーム１５に固定されているため、流路内開口５００の上下に配置されている気密材５０と接するとき、風受け板１７が、上下どちらか一方の気密材５０に接した時点で、風受け板１７は、他の一方の気密材５０に接しているか否かにかかわらず、停止する。気密材５０がどちらか一方しか接していないと、確実な流路内開口５００の閉鎖をすることができず、不具合を生じてしまう可能性がある。このことを避けるためには、横材１５の垂直部１５ａを図７に示した位置に正確に配置しなくてはならず、高い精度が要求される。
【００３８】
そこで、図７に破線で示したように、風受け板１７をアーム部材１５ｃに回動自由に取り付ければ、風受け板１７は、アーム１５の回動によらず、風に対して有効な向きを維持できる。さらに、流路内開口５００を閉鎖する際においても、風受け板１７は、上下どちらか一方の気密材５０に接した後、他方の気密材５０に接するまで、動くことができ、確実な流路内開口の閉鎖が可能となる。
【００３９】
アーム１５に風受け板１７を回動自由に取り付ける一方で、該回動を一定の範囲に規制するための回動規制手段１５ｅを取り付けた。これは、アーム１５と風受け板１７の回動を自由にしすぎると、風受け板１７が水平方向に回動しすぎ、流路内開口５００で適切に流路を閉じることができなくなる恐れがあるからである。従って、風受け板１７の回動を完全に自由にするのではなく、適切に流路内開口５００を閉じることができる範囲に規制した。図７の破線部において、上側のコの字型部１５ｇは風受け板１７の時計回り方向の、下側のコの字型部１５ｇは風受け板１７の反時計回り方向の回動を規制している。
【００４０】
図９は、風量調整換気装置１０の空気内開口５００を、利用者の希望により、閉鎖してある状態の断面図である。図１０（ａ）は、流路内開口５００を閉鎖していないときの、図９におけるＪ−Ｊ線に沿った断面を上から見た図である。図１０（ｂ）は、流路内開口５００を閉鎖しているときの、図９におけるＪ−Ｊ線に沿った断面を上から見た図である。横材１３にはスライダーロック２０が水平方向自由に動くように取り付けられている。スライダーロック２０は、スライダー２０ａ、車輪２０ｂ及びスライダー２０ａと車輪２０ｂとを連結する連結部材２０ｃを備えている。スライダー２０ａは、横材１３に設けられた溝部１３ｃに、水平方向移動自由に取り付けられている。スライダー２０ａに連結部材２０ｃを介して車輪２０ｂが取り付けられている。従って、車輪２０ｂは、スライダー２０ａの動きに追随して、横材１３に対し水平方向自由に動くことができる。車輪２０ｂは、略円柱の形状を有しており、円柱の直径は、風受け板１７が流路内開口５００を閉鎖したときにおける、横材の垂直部１３ａとアーム部材１５ｂとの水平距離と略同じである。一方アーム部材１５ｂには、車輪２０ｂがスライドにより通過する位置に、スライダーロック受け２１が取り付けられている。スライダーロック受け２１は、車輪２０ｂに対して開くような斜行部位２１ａを有している。
【００４１】
本装置の利用者は、風量調整換気装置１０の空気流路４００を閉鎖したいとき、スライダー移動機構（不図示）を利用し、スライダー２０ａを水平方向に移動することで、図１０（ａ）の状態から図１０（ｂ）の状態へ、スライダー２０ａに連結部材２０ｃを介して取り付けてある車輪２０ｂを、アーム部材１５ｂと横材の垂直部１３ａとの間に挿入することにより、アーム１５及び風受け板１７を空気流路４００の風下側へ移動し、風受け板１７で流路内開口５００を閉鎖することができる。これより、換気を必要としないとき等に任意に換気を停止することができる。アーム部材１５ｂに備えられてスライダーロック受け２１は、車輪２０ｂの方向に対し、開いた斜行部材２１ａを備えているので、円滑に車輪２０ｂをアーム部材１５ｂと横材の垂直部１３ａとの間に挿入することを補助している。このスライダーロック２０による機構によれば、任意に空気流路４００を閉鎖するときに、他の閉鎖板、気密材もしくは扉等を必要としないため、構造的に簡潔に空気流路４００の閉鎖ができ、製品コストを下げることも可能である。さらにスライダーロック２０は、手動によりスライドさせることに限る必要はなく、例えば電気信号によりスライドを可能とすれば、ビルの全ての装置に対して、任意の１箇所で集中的に管理することも可能である。これにより夜間などにおいて無人になったにもかかわらず、本装置を閉め忘れた場合においても、ビル管理者が容易に空気流路を閉鎖することができ、不測の事態を回避することができる。
【００４２】
本発明の風量調整換気装置１０で使用される気密材５０の材質は、空気流路４００の閉鎖時において、程度よく気密を得るために取り付けられるものであって、気密を得るために適した材料であれば特に限定されない。例えば、軟質塩化ビニル樹脂、合成ゴム（クロロプレンゴム、ＥＰＤＭ、シリコーンゴム）等の材料を使用することができる。
【００４３】
また、風量調整換気装置１０で利用される緩衝材５１の材質は、部材同士が接することによる衝撃をやわらげ、主に音を発生しないために取り付けられるものであるので、この目的を達成するために適した部材であれば特に限定されない。例えば、軟質塩化ビニル樹脂、合成ゴム（クロロプレンゴム、ＥＰＤＭ、シリコーンゴム）等の材料を使用することができる。
【００４４】
以上、現時点において、もっとも、実践的あり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う風量調整装置もまた本発明の技術範囲に包含されるものとして理解されなければならない。
【図面の簡単な説明】
【００４５】
【図１（ａ）】本発明の一実施形態にかかる風量調整換気装置を備えたビル外観の一部を示す正面図である。
【図１（ｂ）】本発明の一実施形態にかかる風量調整換気装置を備えたビル断面の一部を示す断面図である。
【図２】本発明の一実施形態にかかる風量調整換気装置の断面図である。
【図３】図２の風量調整換気装置のうちの主要部を抜き出して示す斜視図である。
【図４】図２の風量調整換気装置において風量調整がされている一例を示す図である。
【図５】図２の風量調整換気装置において、空気流路が閉鎖されていることを示す断面図である。
【図６】図５のＨ−Ｈ線に沿った断面を上から見た図である。
【図７】図２の風量調整換気装置において、重量調整部材に錘が負荷されている状態を示す図である。
【図８】図２の風量調整換気装置において、アームに風受け板が回動自由に取り付けられていない一例を示す図である。
【図９】図２の風量調整換気装置において、スライダーロックにより空気流路を閉鎖している状態の断面図である。
【図１０（ａ）】図９のＪ−Ｊ線に沿った断面を上から見た図で、スライダーロックを挿入していない状態を示す図である。
【図１０（ｂ）】図９のＪ−Ｊ線に沿った断面を上から見た図で、スライダーロックを挿入している状態を示す図である。
【符号の説明】
【００４６】
１０  風量調整換気装置
１１  上枠（枠材）
１２  下枠（枠材）
１３  横材
１３ａ  （横材の）垂直部
１３ｂ  （横材の）コの字型部
１３ｃ  （横材の）溝部
１４  下内枠
１４ａ  （下内枠の）コの字型部
１５  アーム
１５ａ  アーム部材
１５ｂ  アーム部材
１５ｃ  アーム部材
１５ｄ  アーム部材１５ｂのコの字型部
１５ｅ  回動規制部
１５ｆ  重量調整部
１５ｇ  回動規制部（１５ｅ）のコの字型部
１６  アームブラケット
１７  風受け板
１７ａ  平板部
１７ｂ  管部
１８  錘固定部材
１９  錘
２０  スライダーロック
２０ａ  スライダー
２０ｂ  車輪
２０ｃ  連結部材
２１  スライダーロック受け
２１ａ  斜行部材
４０  縦材
５０  気密材
５１  緩衝材
１００  壁
１０１  ガラスパネル
１０２  方立
１０３  ガラリ
１０４  スラブ
１０５  開口
１０５ａ  上部開口
１０５ｂ  下部開口
２００  室外
３００  室内
４００  空気流路
４０１  空気流路入口（室外側開口）
４０２  空気流路出口（室内側開口）
５００  流路内開口
【図１（ａ）】
2006194567.tif 000003
【図１（ｂ）】
2006194567.tif 000004
【図２】
2006194567.tif 000005
【図３】
2006194567.tif 000006
【図４】
2006194567.tif 000007
【図５】
2006194567.tif 000008
【図６】
2006194567.tif 000009
【図７】
2006194567.tif 000010
【図８】
2006194567.tif 000011
【図９】
2006194567.tif 000012
【図１０（ａ）】
2006194567.tif 000013
【図１０（ｂ）】
2006194567.tif 000014